(57)【要約】【課題】極めて簡単な構造としながら、簡単かつ容易に、しかも能率よく引戸扉を脱着する。【解決手段】引戸装置は、引戸扉１と、この引戸扉１を下レール１１と鴨居１３を介して収納する戸袋２０とを備えている。引戸扉１は、下レール１１に設けた走行溝１２を移動する戸車２を下縁に固定して、上縁の両端部には、鴨居１３に設けたガイド溝１４を移動するガイド凸部３を設けている。引戸装置は、戸車２を下レール１１の走行溝１２に沿って移動させると共に、ガイド凸部３を鴨居１３のガイド溝１４に沿って移動させて、引戸扉１を戸袋２０に出入り自在に収納している。さらに、引戸装置は、ガイド凸部３を、上下に移動できるように引戸扉１の上縁に連結しており、かつ、下レール１１の走行溝１２をＶ溝としており、さらにまた、戸袋２０の入口２１の横幅を、引戸扉１を水平面内で下レール１１及び鴨居１３に対し傾斜して戸袋２０から引き出しできる幅としている。【選択図】図６
2010116710.tif 000002
【特許請求の範囲】
【請求項１】
引戸扉(1)と、この引戸扉(1)を下レール(11)と鴨居(13)を介して入口(21)から出入り自在に収納する戸袋(20)とを備え、前記引戸扉(1)は、下レール(11)に設けた走行溝(12)を移動する戸車(2)を下縁に固定して、上縁の両端部には、前記鴨居(13)に設けたガイド溝(14)を移動するガイド凸部(3)を設けており、
前記戸車(2)を下レール(11)の走行溝(12)に沿って移動させると共に、前記ガイド凸部(3)を鴨居(13)のガイド溝(14)に沿って移動させて、引戸扉(1)を戸袋(20)に出入り自在に収納するようにしてなる引戸装置であって、
前記ガイド凸部(3)は、上下に移動できるように引戸扉(1)に上縁に連結され、かつ、前記下レール(11)の走行溝(12)はＶ溝で、さらにまた、前記戸袋(20)の入口(21)の横幅が、ガイド凸部(3)を降下して、引戸扉(1)を水平面内で下レール(11)及び鴨居(13)に対し傾斜して戸袋(20)から引き出しできる幅としてなる引戸装置。
【請求項２】
前記ガイド凸部(3)を弾性的に押し上げる弾性体(4)を備える請求項１に記載される引戸装置。
【請求項３】
前記ガイド凸部(3)に、引戸扉(1)の表面に露出するツマミ(7)を連結しており、このツマミ(7)を押し下げてガイド凸部(3)を降下するようにしてなる請求項１又は２に記載される引戸装置。
【請求項４】
引戸扉(1)と、この引戸扉(1)を下レール(11)と鴨居(13)を介して入口(21)から出入り自在に収納する戸袋(20)とを備え、前記引戸扉(1)は、下レール(11)に設けた走行溝(12)を移動する戸車(2)を下縁に固定して、上縁には、前記鴨居(13)に設けたガイド溝(14)を移動するガイド凸部(3)を設けており、
前記戸車(2)を下レール(11)の走行溝(12)に沿って移動させると共に、前記ガイド凸部(3)を鴨居(13)のガイド溝(14)に沿って移動させて、引戸扉(1)を戸袋(20)に出入り自在に収納するようにしてなる引戸装置であって、
前記鴨居(13)が、ガイド溝(14)を構成するガイド材(16)と、このガイド材(16)を固定している本体(17)とを備えると共に、ガイド材(16)を脱着自在に本体(17)に固定しており、前記下レール(11)の走行溝(12)はＶ溝で、さらにまた、前記戸袋(20)の入口(21)の横幅が、ガイド材(16)を本体(17)から分離して、引戸扉(1)を水平面内で下レール(11)及び鴨居(13)に対し傾斜して戸袋(20)から引き出しできる幅としてなる引戸装置。
【請求項５】
前記戸袋(20)の入口(21)の両側に、上下に伸びるように金属板からなる補強縦枠(23)を固定している請求項１又は４に記載される引戸装置。
【請求項６】
前記補強縦枠(23)が、金属板を溝型に加工し、あるいは角筒状に加工したものである請求項５に記載される引戸装置。
【請求項７】
前記補強縦枠(23)の内側であって引戸扉(1)と対向する面に、補強ブラシ(27)を固定している請求項５に記載される引戸装置。
【請求項８】
前記補強ブラシ(27)がゴム部材からなる台座(28)を介して補強縦枠(23)に固定されてなる請求項７に記載される引戸装置。
【発明の詳細な説明】
【技術分野】
【０００１】
本発明は、引戸扉を戸袋に出し入れできるように収納している引戸装置に関し、とくに、引戸扉を簡単に脱着できる引戸装置に関する。
【背景技術】
【０００２】
引戸扉を簡単に脱着できる引戸装置は開発されている。（特許文献１参照）
この特許文献に記載される引戸装置は、図１に示すように、引戸扉９１を戸袋９２から引き出して戸先側の戸吊り具９３を外す。戸吊り具９３は、図２に示すように、止ネジ９４で脱着できるように引戸扉９１に固定している。止ネジ９４を外して、戸吊り具９３は引戸扉９１から外される。戸先側の戸吊り具９３を分離した引戸扉９１は、図１に示すように、戸当たり側の戸当たり材９６を外した後、図３に示すように、戸当たり９５の内部に設けた引戸収納部９７に戸先側の端部を挿入する。この状態で、引戸扉９１は、戸袋側の端部が戸袋９２から引き出されて、戸袋側の戸吊り具９３が外される。両端部の戸吊り具９３が外された引戸扉９１は、図４に示すように、水平面内で傾けて、引戸収納部９７から引き出して外すことができる。この構造の引戸装置は、以上の手順で戸袋９２から分離できるので、反対の手順で戸袋９２に収納するように所定の位置にセットできる。
【特許文献１】特開２００１−３０３８５９号公報
【発明の開示】
【発明が解決しようとする課題】
【０００３】
図１ないし図４に示すように、戸吊り具９３を引戸扉９１から分離して戸袋９２から外すことができる引戸装置は、戸袋９２を建物に固定する状態で、戸袋９２やこれを連結している部分をそのままの状態としながら、引戸扉９１を脱着できる。このため、引戸扉９１を能率よく建物に組み付けでき、また、クレームが発生して交換が必要な引戸扉９１を戸袋９２や戸枠などを分解することなく交換できる特徴がある。
【０００４】
しかしながら、図１ないし図４に示す構造の引戸装置は、戸吊り具を外して引戸扉を脱着するので、引戸扉の脱着に手間がかかる欠点がある。また、引戸扉の戸袋側に設けた戸吊り具を脱着するために、引戸扉の戸先側の端部を挿入する引戸収納部を戸当たりに設ける必要があって、構造が複雑になる欠点がある。さらにまた、脱着される戸吊り具で引戸扉を吊り下げレールに連結するので、戸吊り具を脱着できる構造であって強固に引戸扉に連結する連結構造が要求されるが、簡単に脱着できる構造を実現しながら、十分な連結強度とすることは極めて難しい。
【０００５】
本発明は、以上の欠点を解決することを目的に開発されたものである。本発明の重要な目的は、極めて簡単な構造としながら、簡単かつ容易に、しかも能率よく引戸扉を脱着でき、しかもこのことを簡単な構造で実現できる引戸装置を提供することにある。
【課題を解決するための手段及び発明の効果】
【０００６】
本発明の請求項１の引戸装置は、引戸扉１と、この引戸扉１を下レール１１と鴨居１３を介して入口２１から出入り自在に収納する戸袋２０とを備えている。引戸扉１は、下レール１１に設けた走行溝１２を移動する戸車２を下縁に固定して、上縁の両端部には、鴨居１３に設けたガイド溝１４を移動するガイド凸部３を設けている。引戸装置は、戸車２を下レール１１の走行溝１２に沿って移動させると共に、ガイド凸部３を鴨居１３のガイド溝１４に沿って移動させて、引戸扉１を戸袋２０に出入り自在に収納している。さらに、引戸装置は、ガイド凸部３を、上下に移動できるように引戸扉１の上縁に連結しており、かつ、下レール１１の走行溝１２をＶ溝としており、さらにまた、戸袋２０の入口２１の横幅を、ガイド凸部３を降下して、引戸扉１を水平面内で下レール１１及び鴨居１３に対し傾斜して戸袋２０から引き出しできる幅としている。
【０００７】
以上の引戸装置は、極めて簡単な構造としながら、簡単かつ容易に、しかも能率よく引戸扉を脱着できる特徴がある。さらに、以上の引戸装置は、簡単な構造としながら、引戸扉を脱着できる構造を実現する特徴もある。それは、この引戸装置が、上下に移動できるように引戸扉の上縁に連結しているガイド凸部を下方に押し下げて、鴨居のガイド溝から外して引戸扉をガイド溝から外し、この状態で引戸扉を水平面内で下レール及び鴨居に対し傾斜するように傾動して、戸袋から引き出しできるからである。さらに、以上の引戸装置は、走行溝をＶ溝とするので、ここを走行する戸車を走行溝に対して水平面で傾動しやすく、このことによっても引戸扉を簡単に脱着できる。
【０００８】
本発明の請求項２の引戸装置は、請求項１の構成に加えて、ガイド凸部３を弾性的に押し上げる弾性体４を備えている。
以上の引戸装置は、ガイド凸部を弾性体で押し上げているので、引戸扉を脱着するときにガイド凸部を押し下げて簡単に脱着できる。
【０００９】
本発明の請求項３の引戸装置は、請求項１または２の構成に加えて、ガイド凸部３に、引戸扉１の表面に露出するツマミ７を連結しており、このツマミ７を押し下げてガイド凸部３を降下している。
以上の引戸装置は、ツマミでガイド凸部を簡単に降下できるので、引戸扉をさらに簡単に脱着できる特徴がある。
【００１０】
本発明の請求項４の引戸装置は、引戸扉１と、この引戸扉１を下レール１１と鴨居１３を介して入口２１から出入り自在に収納する戸袋２０とを備えている。引戸扉１は、下レール１１に設けた走行溝１２を移動する戸車２を下縁に固定して、上縁には、鴨居１３に設けたガイド溝１４を移動するガイド凸部３を設けている。引戸装置は、戸車２を下レール１１の走行溝１２に沿って移動させると共に、ガイド凸部３を鴨居１３のガイド溝１４に沿って移動させて、引戸扉１を戸袋２０に出入り自在に収納している。さらに、引戸装置は、鴨居１３が、ガイド溝１４を構成するガイド材１６と、このガイド材１６を固定している本体１７とを備えると共に、ガイド材１６を脱着自在に本体１７に固定しており、下レール１１の走行溝１２をＶ溝として、さらにまた、戸袋２０の入口２１の横幅を、ガイド材１６を本体１７から分離して、引戸扉１を水平面内で下レール１１及び鴨居１３に対し傾斜して戸袋２０から引き出しできる幅としている。
【００１１】
以上の引戸装置は、極めて簡単な構造としながら、簡単かつ容易に、しかも能率よく引戸扉を脱着できる特徴がある。さらに、以上の引戸装置は、簡単な構造としながら、引戸扉を脱着できる構造を実現する特徴もある。それは、この引戸装置が、鴨居に固定しているガイド材を外して、引戸扉をガイド溝から外し、この状態で引戸扉を水平面内で下レール及び鴨居に対し傾斜するように傾動して、戸袋から引き出しできるからである。さらに、以上の引戸装置は、走行溝をＶ溝とするので、ここを走行する戸車を走行溝に対して水平面で傾動しやすく、このことによっても引戸扉を簡単に脱着できる。
【００１２】
本発明の請求項５の引戸装置は、請求項１または４の構成に加えて、戸袋２０の入口２１の両側に、上下に伸びるように金属板からなる補強縦枠２３を固定している。
以上の引戸装置は、金属板の補強縦枠で戸袋の入口を補強するので、戸袋の外幅を狭くしながら、いいかえると戸袋両側の壁部を薄くしながら、戸袋の入口の変形や狂いを防止できる。このため、戸袋の入口と引戸扉との隙間を一定にできる。
【００１３】
本発明の請求項６の引戸装置は、請求項５の構成に加えて、補強縦枠２３を、金属板を溝型に加工し、あるいは角筒状に加工したものとしている。
この引戸装置は、金属板からなる補強縦枠の曲げ強度を向上して、戸袋の入口の変形や狂いをとくに効果的に阻止できる。また、薄い金属板で入口を変形しないように補強できる。
【００１４】
本発明の請求項７の引戸装置は、請求項５の構成に加えて、補強縦枠２３の内側であって引戸扉１と対向する面に、補強ブラシ２７を固定している。
以上の引戸装置は、戸袋の入口に、引戸扉を傾けることができる隙間を設けながら、この隙間を補強ブラシで塞くことができる。このため、引戸扉を傾けて戸袋から外すことができる構造としながら、戸袋に異物が侵入するのを防止できる。また、補強ブラシは引戸扉で押して潰されるので、引戸扉をスムーズに傾けて戸袋から外すことができる。
【００１５】
さらに、本発明の請求項８の引戸装置は、請求項７の構成に加えて、補強ブラシ２７をゴム部材からなる台座２８を介して補強縦枠２３に固定している。
以上の引戸装置は、ゴム部材からなる台座と補強ブラシの両方を変形して、引戸扉を傾けることができるので、引戸扉の入口との隙間を狭くしながら、引戸扉を簡単かつスムーズに戸袋から外すことができる。
【発明を実施するための最良の形態】
【００１６】
以下、本発明の実施例を図面に基づいて説明する。ただし、以下に示す実施例は、本発明の技術思想を具体化するための引戸装置を例示するものであって、本発明は引戸装置を以下のものに特定しない。
【００１７】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１８】
図５と図６に示す引戸装置は、引戸扉１と、この引戸扉１を下レール１１と鴨居１３を介して入口２１から出入り自在に収納する戸袋２０とを備える。
【００１９】
引戸扉１は、図６と図７に示すように、下レール１１に設けた走行溝１２を移動する戸車２を下縁に固定している。これらの図に示す引戸扉１は、戸先側と戸袋側の両端部に戸車２を固定している。戸車２は、引戸扉１の下面から突出して、下レール１１の走行溝１２を走行して、引戸扉１を下レール１１に沿って移動させる。戸車２の車輪は、Ｖ溝の走行溝１２をスムーズに走行でき、かつ、引戸扉１を外すときに走行溝１２に対してスムーズに傾けることができるように、図６に示すように、両側を面取りした形状としている。ただ、戸車の車輪は、図８の拡大図に示すように、両側を湾曲面としたアーチ状とすることもできる。
【００２０】
さらに、引戸扉１は、上縁の両端部、すなわち戸先側と戸袋側の両端部に、鴨居１３に設けたガイド溝１４を移動するガイド凸部３を突出するように設けている。この引戸扉１は、戸車２を下レール１１の走行溝１２に沿って移動させると共に、ガイド凸部３を鴨居１３のガイド溝１４に沿って移動させる。引戸扉１は、建物の出入り口１０を開くときに戸袋２０に収納され、建物の出入り口１０を閉じるときに戸袋２０から引き出される。
【００２１】
ガイド凸部３は、上下に移動できるように引戸扉１の上縁に連結している。ガイド凸部３は、引戸扉１から突出されて鴨居１３のガイド溝１４に案内される。この状態で、引戸扉１は、鴨居１３に沿って移動される。引戸扉１を下レール１１と鴨居１３に脱着するときに、ガイド凸部３は降下される。降下されたガイド凸部３は、鴨居１３のガイド溝１４の外側に移動される。ガイド凸部３をガイド溝１４の外部に移動して引戸扉１を脱着する。
【００２２】
図９は、ガイド凸部３を引戸扉１に連結する構造を示している。この図に示す引戸扉１は、ガイド凸部３を弾性的に押し上げる弾性体４を内蔵している。弾性体４は、押しバネのコイルスプリング４Ａである。ガイド凸部３は円柱状で、引戸扉１に設けている円柱状の上下穴５の底との間に、上下に移動できるように挿入されている。上下穴５は垂直に設けられて、底部に弾性体４のコイルスプリング４Ａを入れ、このコイルスプリング４Ａの上にガイド凸部３を挿入している。ガイド凸部３は、コイルスプリング４Ａの弾性体４に押されて弾性的に押し上げられる。さらに、ガイド凸部３は、水平方向に伸びるアーム６を介してツマミ７を連結している。引戸扉１はアーム６を上下に移動できるように案内しているスリット８を設けている。スリット８にアーム６を案内して、アーム６の先端に設けているツマミ７を引戸扉１の表面に露出させている。
【００２３】
図９に示すように、ガイド凸部３に連結しているツマミ７は、引戸扉１の端面１Ａに露出される。戸先側のガイド凸部３に連結しているツマミ７は、引戸扉１で出入り口１０をほぼ閉める位置として、戸先側の端面１Ａを戸当たり１５から離す状態で操作して、ガイド凸部３を降下できる。戸袋側のガイド凸部３に連結しているツマミ７は、引戸扉１の戸袋側の端部を戸袋２０から引き出す位置として、戸袋側の端面１Ａを表出させる状態で操作されて、ガイド凸部３を降下させる。
【００２４】
図のアーム６は、スリット８の上端に当たって、ガイド凸部３が引戸扉１から上に飛び出すのを停止するストッパに併用している。このガイド凸部３は、アーム６をスリット８に沿って上下に移動させて、上下に往復運動する位置を特定している。
【００２５】
下レール１１と鴨居１３は、戸袋２０の上下に水平方向に固定され、さらに、戸袋２０から建物の出入り口１０に突出するように建物に固定される。図６に示す引戸装置は、出入り口１０の下側に敷居１９を設けており、この敷居１９の中央部に設けた縦溝１９Ａに下レール１１を嵌入して固定している。ただ、本発明の引戸装置は、必ずしも建物の出入り口に敷居を設ける必要はなく、図１０と図１１に示すように、建物の床面３０に直接に下レール１１を固定することもできる。図１０に示す引戸装置は、床面３０に縦溝３１を設けて、この縦溝３１に下レール１１を嵌入して固定している。また、図１１に示す引戸装置は、床面３０に縦溝を設けることなく、フラットな床面３０の上に、止ネジ３２を介して下レール１１を固定している。これらの引戸装置は、バリアーフリーの建物を実現できる。下レール１１は、戸車２を走行させる走行溝１２を設けている。走行溝１２は、横断面をＶ字状とする上方を開口するＶ溝で、下レール１１に沿って長手方向に伸びるように設けられる。鴨居１３は、ガイド凸部３を案内するガイド溝１４を下方に開口するように設けている。ガイド溝１４は、ガイド凸部３を移動できる幅と深さとしている。
【００２６】
戸袋２０は、両面を壁部２２で閉塞して、引戸扉１を出入りさせる入口２１を設けている。戸袋２０の入口２１は、その横幅を、ガイド凸部３を降下して、引戸扉１を水平面内で下レール１１及び鴨居１３に対し傾斜して戸袋２０から引き出しできる幅としている。戸袋２０の水平断面を図１２と図１３に示している。この戸袋２０は、入口２１の両側に、上下に伸びるように金属板からなる補強縦枠２３を固定している。補強縦枠２３は、壁部２２に固定されて、戸袋２０の入口２１を補強する。図の補強縦枠２３は、壁部２２の内面に固定される固定部２３Ｂに、溝型に加工している溝部２３Ａを連結する形状に金属板を折曲加工している。さらに、図の補強縦枠２３は、溝部２３Ａの内側に、金属板を溝型に加工しているサブ補強枠２３Ｃを入れて補強している。サブ補強枠２３Ｃは、溝部２３Ａに嵌入できる外形として、溝部２３Ａに嵌着している。ただ、サブ補強枠は、金属板を四角形に加工してなる角筒状とすることもできる。この補強縦枠２３は、固定部２３Ｂを壁部２２の内面に固定し、溝部２３Ａに当たるように、石膏ボードなどの壁材２５を固定している。さらに、溝部２３Ａの表面には、表面カバー２６を固定して、補強縦枠２３の表面を綺麗に仕上げている。図に示す表面カバー２６は、ＭＤＦや合板からなる化粧板２６Ａをコ字状に折曲加工して溝部２３Ａの表面に固定すると共に、この化粧板２６Ａの表面に化粧シート２６Ｂを接着して付着している。
【００２７】
さらに、図の補強縦枠２３は、その内側であって引戸扉１と対向する面に、補強ブラシ２７を固定している。補強ブラシ２７は、自由に変形できる無数の繊維２７Ａをベースシート２７Ｂの表面に垂直に固定したものである。図１３の補強縦枠２３は、ゴム部材からなる台座２８を介して補強縦枠２３の表面に補強ブラシ２７を固定している。補強ブラシ２７は、ベースシート２７Ｂを補強縦枠２３の表面に接着して、補強縦枠２３と引戸扉１との隙間に配置させる。この構造は、補強ブラシ２７でもって、戸袋２０の入口２１と引戸扉１との隙間を塞ぐことができる。このため、戸袋２０の内部にゴミなどが侵入するのを防止できる。また、隙間から戸袋２０の内部が見えるのも防止できる。さらに、対向する補強縦枠２３と引戸扉１との間に補強ブラシ２７を介在させることで、補強縦枠２３に作用する横向きの力（壁部２２に対して垂直な方向の力）に対する強度を高めることができる。補強ブラシ２７の無数の繊維２７Ａが、補強縦枠２３と引戸扉１の間において、突っ張る状態で支持するからである。したがって、この構造により、補強縦枠２３や壁部２２の強度を確保することができる。さらにまた、補強縦枠２３と引戸扉１との隙間に補強ブラシ２７を配置する構造は、引戸扉１を外すときに補強ブラシ２７を自由に変形させることで、引戸扉１をスムーズに傾けて外すことができる。補強ブラシ２７が引戸扉１に当たって自由に変形するからである。とくに、ゴム部材からなる台座２８を介して補強ブラシ２７を補強縦枠２３に固定する構造は、補強ブラシ２７と台座２８の両方を変形させることで、引戸扉１をよりスムーズに外すことができる。引戸扉１に当たって、補強ブラシ２７とゴム部材からなる台座２８の両方が変形するからである。ただ、補強ブラシは、ゴム部材からなる台座を介することなく、直接に補強縦枠に接着し、あるいは両面テープ等の接着部材を介して補強縦枠に固定することもできる。
【００２８】
以上の引戸装置は、以下のようにして下レール１１と鴨居１３から引戸扉１を外すことができる。
（１）引戸扉１を戸袋２０から引き出して、戸先側のガイド凸部３をツマミ７で降下させる。このとき、引戸扉１は戸当たり１５から離した位置で停止させる。引戸扉１の戸先を戸当たり１５から離して、戸先側の端面１Ａに設けているツマミ７でガイド凸部３を降下させるためである。
（２）戸先側のガイド凸部３が降下して、戸先側のガイド凸部３を鴨居１３のガイド溝１４の外部に移動して、図１２の鎖線Ａで示すように、引戸扉１を下レール１１と鴨居１３に対して傾ける。このとき、引戸扉１をわずかに持ち上げて、戸先側の戸車２を下レール１１の走行溝１２から外す。
（３）傾けた引戸扉１を、図１２の鎖線Ｂで示すように、戸袋２０から引き出す。引戸扉１は、戸袋側の端部が戸袋２０の入口２１の外側に出るまで引き出される。戸袋２０から引き出された引戸扉１を、図１２の鎖線Ｃで示すように、下レール１１と鴨居１３に対してさらに傾けて、戸袋側の端面１Ａを表出させる。引戸扉１の戸袋側に設けているガイド凸部３をツマミ７で降下させる。ガイド凸部３が鴨居１３のガイド溝１４から外され、戸袋２０から引き出された引戸扉１は、鴨居１３から外され、さらに下レール１１からも外すことができる。
【００２９】
以上のようにして、引戸扉１は、下レール１１と鴨居１３と戸袋２０から外される。引戸扉１は、以上の反対の操作をして下レール１１と鴨居１３と戸袋２０に連結することができる。
すなわち、引戸扉１の戸袋側の一部を戸袋２０の入口２１に案内して、戸袋側と戸先側のガイド凸部３をツマミ７で降下させて、両方のガイド凸部３を鴨居１３のガイド溝１４に案内し、また、戸車２を下レール１１の走行溝１２に案内して、引戸扉１を下レール１１と鴨居１３と戸袋２０にセットする。
【００３０】
以上の引戸装置は、ガイド凸部３を降下して引戸扉１を脱着するが、引戸装置は、ガイド凸部３を上下に移動することなく、ガイド凸部３を引戸扉１に固定し、鴨居１３を図１４と図１５に示す独特の構造として、引戸扉１を脱着する構造にできる。これらの図に示す鴨居１３は、ガイド溝１４を構成するガイド材１６と、このガイド材１６を固定している本体１７とを備えている。ガイド材１６は、脱着自在に本体１７に固定している。図１４の鴨居１３は、本体１７に２列のガイド材１６を平行に固定して、ガイド材１６の間にガイド溝１４を設けている。図１５の鴨居１３は、下面にガイド溝１４を設けているガイド材１６を本体１７に固定している。ガイド材１６は、止ネジ１８を介して本体１７に脱着できるように固定している。
【００３１】
引戸扉１は、ガイド材１６によって設けられるガイド溝１４に上端縁部であるガイド凸部３を案内して、鴨居１３に沿って移動される。以上の引戸装置は、引戸扉１を脱着するとき、止ネジ１８を外してガイド材１６を本体１７から外す。ガイド材１６が外されると、引戸扉１の上部が鴨居１３から外される。したがって、この引戸装置は、前述のガイド凸部を降下して鴨居から外すのと同じ状態を、ガイド材１６を本体１７から外すことで実現して、引戸扉１を脱着することができる。したがって、この引戸装置は、鴨居以外の構造を、前述した図５ないし図１３と同じ構造として、ガイド材１６を外して、引戸扉１を脱着できる。
【図面の簡単な説明】
【００３２】
【図１】従来の引戸装置の引戸扉を取り外す状態を示す正面図である。
【図２】図１に示す引戸装置の引戸扉の斜視図である。
【図３】図１に示す引戸装置の引戸扉を取り外す状態を示す正面図である。
【図４】図３に示す引戸装置の引戸扉を取り外す状態を示す水平断面である。
【図５】本発明の一実施例にかかる引戸装置の正面図である。
【図６】図５に示す引戸装置の一部拡大Ａ−Ａ線断面図である
【図７】図５に示す引戸装置の引戸扉の正面図である。
【図８】戸車の他の一例を示す拡大断面図である。
【図９】図７に示す引戸扉のガイド凸部を示す拡大断面図である。
【図１０】下レールの他の一例を示す拡大断面図である。
【図１１】下レールの他の一例を示す拡大断面図である。
【図１２】図５に示す引戸装置の水平断面図である。
【図１３】図１２に示す引戸装置の拡大断面図である。
【図１４】本発明の他の実施例にかかる引戸装置の垂直断面図である。
【図１５】本発明の他の実施例にかかる引戸装置の垂直断面図である。
【符号の説明】
【００３３】
１…引戸扉                      １Ａ…端面
２…戸車
３…ガイド凸部
４…弾性体                      ４Ａ…コイルスプリング
５…上下穴
６…アーム
７…ツマミ
８…スリット
１０…出入り口
１１…下レール
１２…走行溝
１３…鴨居
１４…ガイド溝  
１５…戸当たり
１６…ガイド材
１７…本体
１８…止ネジ
１９…敷居                      １９Ａ…縦溝
２０…戸袋
２１…入口
２２…壁部
２３…補強縦枠                  ２３Ａ…溝部
２３Ｂ…固定部
２３Ｃ…サブ補強枠
２５…壁材
２６…表面カバー                ２６Ａ…化粧板
２６Ｂ…化粧シート
２７…補強ブラシ                ２７Ａ…繊維
２７Ｂ…ベースシート
２８…台座
３０…床面
３１…縦溝
３２…止ネジ
９１…引戸扉
９２…戸袋
９３…戸吊り具
９４…止ネジ
９５…戸当たり
９６…戸当たり材
９７…引戸収納部
【図１】
2010116710.tif 000003
【図２】
2010116710.tif 000004
【図３】
2010116710.tif 000005
【図４】
2010116710.tif 000006
【図５】
2010116710.tif 000007
【図６】
2010116710.tif 000008
【図７】
2010116710.tif 000009
【図８】
2010116710.tif 000010
【図９】
2010116710.tif 000011
【図１０】
2010116710.tif 000012
【図１１】
2010116710.tif 000013
【図１２】
2010116710.tif 000014
【図１３】
2010116710.tif 000015
【図１４】
2010116710.tif 000016
【図１５】
2010116710.tif 000017